【事件の表示】
　平成１０年特許願第４１５５３号「放電灯点灯装置」拒絶査定不服審判事件〔平成１１年８月３１日出願公開、特開平１１−２３８５９２号〕について、次のとおり審決する。
【結　論】
　本件審判の請求は、成り立たない。
【理　由】
１．手続の経緯
　本願は、平成１０年２月２４日の出願であって、平成１５年８月２５日に手続補正がされ、平成１６年３月１８日付けで拒絶査定がなされ、これに対し、平成１６年４月２２日に拒絶査定不服審判の請求がされるとともに、同日付けで手続補正がされたものである。
　
２．平成１６年４月２２日の手続補正についての補正却下の決定
［補正却下の決定の結論］
　　平成１６年４月２２日の手続補正（以下、「本件補正」という。）を却下する。
［理由］
（１）本件補正事項
　本件補正により、特許請求の範囲について、
【請求項１】「交流電源を整流、平滑して直流電圧を出力する直流電源部と、直流電源部の直流電圧をスイッチング素子によりスイッチングして矩形波の交流電圧に変換するインバータ回路部と、インバータ回路部の出力端子間に一次側巻線が接続されたリーケージトランスと、リーケージトランスの二次側巻線に接続されるとともに、リーケージトランスの二次側のインダクタンスと共にＬＣ直列共振回路を形成する第１のコンデンサと、第１のコンデンサと並列に接続された放電灯と、スイッチング素子のオンオフを制御する制御回路部と、制御回路部に電源供給する電源回路部とを備え、電源回路部は、リーケージトランスの一次側に磁気結合された第１の巻線の出力を整流、平滑することで、制御回路部の動作電源を生成することを特徴とする放電灯点灯装置。」
【請求項２】「電源回路部が、第１の巻線の両端間に接続された抵抗とダイオードと第３のコンデンサとの直列回路から構成されることを特徴とする請求項１記載の放電灯点灯装置。」
【請求項３】「上記放電灯のフィラメント電極が第２のコンデンサを介してリーケージトランスの二次側に磁気結合された第２の巻線に接続されたことを特徴とする請求項１記載の放電灯点灯装置。」
【請求項４】「リーケージトランスの二次側に磁気結合された第３の巻線の出力から放電灯の異常を検出する異常検出部を設けたことを特徴とする請求項１記載の放電灯点灯装置。」
【請求項５】「インバータ回路部がハーフブリッジインバータから構成されることを特徴とする請求項１記載の放電灯点灯装置。」
としていたものを、
【請求項１】「交流電源を整流、平滑して直流電圧を出力する直流電源部と、直流電源部の直流電圧をスイッチング素子によりスイッチングして矩形波の交流電圧に変換するインバータ回路部と、インバータ回路部の出力端子間に一次側巻線が接続されたリーケージトランスと、リーケージトランスの二次側巻線に接続されるとともに、リーケージトランスの二次側のインダクタンスと共にＬＣ直列共振回路を形成する第１のコンデンサと、第１のコンデンサと並列に接続された放電灯と、スイッチング素子のオンオフを制御する制御回路部と、制御回路部に電源供給する電源回路部とを備え、電源回路部は、リーケージトランスの一次側に磁気結合された第１の巻線の出力を整流、平滑することで、制御回路部の動作電源を生成する
とともに、リーケージトランスの二次側に磁気結合された第３の巻線の出力から放電灯の異常を検出する異常検出部を設けた
【請求項２】「電源回路部が、第１の巻線の両端間に接続された抵抗とダイオードと第３のコンデンサとの直列回路から構成されることを特徴とする請求項１記載の放電灯点灯装置。」
【請求項３】「上記放電灯のフィラメント電極が第２のコンデンサを介してリーケージトランスの二次側に磁気結合された第２の巻線に接続されたことを特徴とする請求項１記載の放電灯点灯装置。」
【請求項４】「インバータ回路部がハーフブリッジインバータから構成されることを特徴とする請求項１記載の放電灯点灯装置。」とされた。
　
（２）当審の判断
　上記補正は、補正前の請求項４を請求項１とするものであり、補正後の請求項２〜４については、補正前には請求項１を引用していた請求項２、３及５項を、それぞれ補正後の請求項１を引用する請求項とするものである。
　ところで、補正前の請求項４は請求項１に記載される放電灯点灯装置に、「リーケージトランスの二次側に磁気結合された第３の巻線の出力から放電灯の異常を検出する異常検出部を設けた」ことを限定するものであって、請求項１の発明特定事項に、上記限定事項を付加するものといえる。
　したがって、補正後の請求項２〜４については、補正前の請求項２、３及５項に記載される発明特定事項に、それぞれ「リーケージトランスの二次側に磁気結合された第３の巻線の出力から放電灯の異常を検出する異常検出部を設けた」という限定事項を付加するものといえ、よって、補正後の請求項２〜４に係る補正について、補正前の請求項２、３及５項に記載された発明特定事項を限定することを目的するものとは認められない。
　また、請求項の削除、誤記の訂正及び明りょうでない記載の釈明ともいえない。
　よって、本件補正は、特許法第１７条の２第４項各号に該当せず、同項の規定に違反するので、特許法第１５９条第１項で読み替えて準用する同法第５３条第１項の規定により却下されるべきものである。
　
３．本願発明について
　本件補正は上記のとおり却下されたので、本願の請求項１に係る発明（以下、「本願発明」という。）は、平成１５年８月２５日に補正された特許請求の範囲の請求項１に記載された事項により特定されるとおりのものである。（２．（１）参照。）
　
（１）引用刊行物
　原査定の拒絶の理由に引用され、本願出願前に頒布された刊行物である、特開平３−１１６６９６号公報（以下、「引用刊行物」という。）には、図１〜４と共に、以下の事項が記載されている。
（ア）「プッシュプル回路を形成する１対の主スイッチングトランジスタ、および該プッシュプル回路の出力を該１対の主スイッチングトランジスタの制御電極にそれぞれ正帰還する１対の駆動巻線を有する可飽和型帰還トランスを備えた自励式ハーフブリッジインバータを具備する放電灯点灯装置において、
　パルス幅変調されたパルス信号を発生する手段と、
　上記主スイッチングトランジスタのベース回路に直列に挿入されたコンデンサにそれぞれ接続され、該コンデンサの容量を変えて上記インバータの発振周波数を可変するための１対の可変インピーダンス素子と、
　上記パルス信号のパルス幅に応じたレベルの直流電圧を発生し、該直流電圧により上記１対の可変インピーダンス素子のそれぞれのインピーダンスを同様に制御するためのレベルシフト回路と
　を具備することを特徴とする放電灯点灯装置。」（特許請求の範囲）
（イ）「［実施例］
　以下、図面を用いて本発明の実施例を説明する。
　第１図は、本発明の一実施例に係る放電灯点灯装置の回路図を示す。同図において、１は交流電源、２は直流平滑回路で、これにより直流端子ａ，ｂ間に直流電圧を発生する。Ｑｌａ，Ｑｌｂはシリーズインバータ４を構成する主スイッチングトランジスタ、Ｔ１は主スイッチングトランジスタＱｌａ，Ｑｌｂのゲート（制御電極）駆動用の可飽和トランス（可飽和型電流トランス）、Ｔ２はインバータトランス（出カトランス）、Ｆは蛍光ランプなどの放電灯である。
　トランスＴ１は帰還用トランスであり、一つの１次巻線Ｗ１と二つの互いに逆巻の２次巻線Ｗ２ａ，Ｗ２ｂとを有する。・・・中略・・・
　１１はランプ電流検出部、１２はランプ電圧検出部、１３は調光制御部である。これらの検出部１１，１２および調光制御部１３からの出力に基づいて、Ｖ−ＰＷＭ変換回路１４は所定のパルス幅のＰＷＭ信号を発生しこれをレベルシフト回路１５へと出力する。レベルシフト回路１５はこのＰＷＭ信号のパルス幅に応じた電圧をゲート・ソース間電圧ＶＧＳとしてＦＥＴＱ２ａ，Ｑ２ｂに印加する。
　インバータトランスＴ２は、トランスＴ１の電流検出巻線Ｗ１およびコンデンサＣ３，Ｃ４を介してスイッチングトランジスタＱｌａとＱｌｂの接続点ｃと直流端子ａ，ｂとの間に接続された１次巻線Ｗ３、およびこのインバータの出力巻線としてランプＦに接続された２次巻線Ｗ４を有するトランスである。このトランスＴ２はランプＦのフィラメント電源を供給するための２次巻線およびタップを有し、また電圧検出部１２がランプ電圧を検出するための２次巻線Ｗ５を有している。このインバータの発振周波数は、コンデンサＣ５のキャパシタンスとインバータトランスＴ２のリーケージインダクタンスとの共振周波数および可飽和トランスＴ１の飽和磁束密度などによって定まる。
　次に、この実施例の放電灯点灯装置の動作について説明する。まず、交流電源１を投入して直流出力端子ａ，ｂに全波整流平滑直流出力を生じ、不図示の起動回路によりインバータが起動されると、主スイッチングトランジスタＱ１ａおよびＱｌｂが交互にオンし発振が持続する。
　・・・中略・・・
　この発振動作により、インバータトランスＴ２の１次巻線Ｗ３は交流駆動され、２次巻線Ｗ４には交流電圧が誘起される。負荷であるランプＦはこの２次誘起出力を供給され点灯する。
　電流検出部１１はランプ電流を検出してその電流を一定に制御するためのもの、電圧検出部１２はランプ電圧を検出してその電圧を一定に制御するためのものである。調光制御部１３はランプＦの調光を行なうためのものである。これらの検出出力および調光制御出力は、Ｖ−ＰＷＭ変換回路１４に入力する。Ｖ−ＰＷＭ変換回路１４はこの検出電圧などに応じたパルス幅のＰＷＭ信号をレベルシフト回路１５に入力する。レベルシフト回路１５はこのＰＷＭ信号のパルス幅に基づいてコンデンサ制御用ＦＥＴＱ２ａ，Ｑ２ｂのゲート・ソース間電圧ＶＧＳを供給する。これにより、主スイッチングトランジスタＱｌａ，Ｑｌｂのベースに接続されたコンデンサの容量が決定され発振周波数が定まる。」（第２頁左下欄第４行〜第３頁右下欄第１４行）
（ウ）「第３図は、第１図のレベルシフト回路１５およびＶ−ＰＷＭ変換回路１４などを、より具体的に示した回路図である。なお、第１図と同一の記号は同一の役割を果たす部材であるので説明を省略する。
　第３図において、ランプ電流を検出するためのトランスＴ３の２次巻線（端子ｍ、ｍ’）に発生した２次電圧は整流回路によって整流され・・・中略・・・ＩＣ２１の端子Ｉへ入力する。
　一方、トランスＴ２の２次巻線Ｗ５により検出されたランプ電圧は同様にして整流回路で整流され、・・・中略・・・ＩＣ２１の端子ｉへと入力される。
　・・・中略・・・
　ＩＣ２１は型名ＴＬ４９４のＩＣであり、Ｖ−ＰＷＭ変換回路を構成している。ＩＣ２１は入力端子ｉに印加される直流電圧に応じたパルス幅のＰＷＭ信号をトランジスタＱ５のベースに入力し、同様に同じＰＷＭ信号を端子ｆへと出力する。
　・・・中略・・・結果として、上下のＦＥＴＱ２ａおよびＱ２ｂには、同じゲート・ソース間電圧ＶＧＳが印加されることとなる。
　以上のようにして、ＦＥＴＱ２ａおよびＱ２ｂのインピーダンスを可変し、スイッチングトランジスタＱｌａ、Ｑｌｂの発振周波数を可変し、インバータの出力を変化させる。
　第４図は、第３図の回路においてランプＦを２本のランプＦ１およびＦ２に置き換え、さらに調光回路１３を設けた放電灯点灯装置の回路図である。第３図と同一の記号は、同一の役割を果たす部材であるので説明を省略する。」（第４頁右上欄第４行〜右下欄第１７行）
（エ）第１、３及び４図には、直流端子ａ，ｂにシリーズインバータ４が接続され、インバータトランスＴ２がリーケージトランスの記号で表記されるとともに、インバータトランスＴ２の２次巻線Ｗ４にコンデンサＣ５と蛍光ランプＦが並列に接続されること、また、第３及び４図には、その１次巻線Ｗ３側に設けられた巻線の出力を整流平滑してその出力をＶｃｃの記号で表し、それがＩＣ２１の電源として用いられることが図示されている。
　これらの記載事項（ア）〜（ウ）及び（エ）の図示内容を総合すると、引用刊行物には、
「直流端子ａ，ｂ間に直流電圧を発生する交流電源１及び直流平滑回路２と、
直流端子ａ，ｂに接続され、主スイッチングトランジスタＱ１ａとＱｌｂが交互にオンし発振が持続するハーフブリッジインバータ４と、
コンデンサＣ３，Ｃ４を介して主スイッチングトランジスタＱｌａとＱｌｂの接続点ｃと直流端子ａ，ｂとの間に１次巻線Ｗ３が接続されたリーケージトランスであるインバータトランスＴ２と、
インバータトランスＴ２の２次巻線Ｗ４に接続されるとともに、そのキャパシタンスとインバータトランスＴ２のリーケージインダクタンスとの共振周波数がハーフブリッジインバータ４の発振周波数を定めるコンデンサＣ５と、
コンデンサＣ５に並列に接続された蛍光ランプＦと、
主スイッチングトランジスタＱｌａとＱｌｂを交互にオンし発振・調光する、ＩＣ２１を含む、Ｖ−ＰＷＭ変換回路１４、レベルシフト回路１５及びベース回路等からなる回路と、
インバータトランスＴ２の１次巻線Ｗ３側に設けられた巻線の出力を整流平滑してその出力をＩＣ２１の電源として用いる放電灯点灯装置。」の発明（以下、「引用発明」という。）が記載されていると認められる。
　
（３）対比・判断
　本願発明と引用発明とを対比すると、後者の「直流端子ａ，ｂ間に直流電圧を発生する交流電源１及び直流平滑回路２」は、その構成・機能からみて、前者の「交流電源を整流、平滑して直流電圧を出力する直流電源部」に相当し、以下同様に、後者の「主スイッチングトランジスタＱ１ａとＱｌｂ」は前者の「スイッチング素子」に、後者の「直流端子ａ，ｂに接続され、主スイッチングトランジスタＱ１ａとＱｌｂが交互にオンし発振が持続するハーフブリッジインバータ４」は前者の「直流電源部の直流電圧をスイッチング素子によりスイッチングして矩形波の交流電圧に変換するインバータ回路部」に、後者の「リーケージトランスであるインバータトランスＴ２」は前者の「リーケージトランス」に、後者の「１次巻線Ｗ３」は前者の「一次側巻線」に、後者の「２次巻線Ｗ４」は前者の「二次側巻線」に、後者の「インバータトランスＴ２のリーケージインダクタンス」は前者の「リーケージトランスの二次側のインダクタンス」に、後者の「蛍光ランプＦ」は前者の「放電灯」にそれぞれ相当する。
　また、後者の「コンデンサＣ３，Ｃ４を介して主スイッチングトランジスタＱｌａとＱｌｂの接続点ｃと直流端子ａ，ｂとの間に１次巻線Ｗ３が接続された」接続態様は前者の「インバータ回路部の出力端子間に一次側巻線が接続された」接続態様に相当し、後者の「コンデンサＣ５」はその構成からみて前者の「第１のコンデンサ」に対応し、後者の「コンデンサＣ５」についての「そのキャパシタンスとインバータトランスＴ２のリーケージインダクタンスとの共振周波数がハーフブリッジインバータ４の発振周波数を定める」との作用は、少なくともコンデンサＣ５のキャパシタンスとインバータトランスＴ２のリーケージインダクタンスが共振しているといえるから、前者の第１のコンデンサについての「リーケージトランスの二次側のインダクタンスと共にＬＣ直列共振回路を形成する」との特定事項と同様の機能・構成を有しているといえる。
　さらに、後者の「インバータトランスＴ２の１次巻線Ｗ１側に設けられた巻線の出力を整流平滑してその出力をＩＣ２１の電源として用いる」ことは、その構成・機能からみて、前者の「電源供給する電源回路部」「を備え、電源回路部は、リーケージトランスの一次側に磁気結合された第１の巻線の出力を整流、平滑することで、」「動作電源を生成すること」に相当する。
　そうすると、両者は「交流電源を整流、平滑して直流電圧を出力する直流電源部と、直流電源部の直流電圧をスイッチング素子によりスイッチングして矩形波の交流電圧に変換するインバータ回路部と、インバータ回路部の出力端子間に一次側巻線が接続されたリーケージトランスと、リーケージトランスの二次側巻線に接続されるとともに、リーケージトランスの二次側のインダクタンスと共にＬＣ直列共振回路を形成する第１のコンデンサと、第１のコンデンサと並列に接続された放電灯と、電源供給する電源回路部を備え、電源回路部は、リーケージトランスの一次側に磁気結合された第１の巻線の出力を整流、平滑することで、動作電源を生成する放電灯点灯装置。」である点で一致し、本願発明は「スイッチング素子のオンオフを制御する制御回路部」を備え、「電源回路部」が「制御回路部に電源供給する」のに対して、引用発明は「主スイッチングトランジスタＱｌａとＱｌｂを交互にオンし発振・調光する、ＩＣ２１を含む、Ｖ−ＰＷＭ変換回路１４、レベルシフト回路１５及びベース回路等からなる回路」を備え、電源回路部が「ＩＣ２１の電源として用い」られている点で相違すると認められる。
　
　そこで、上記相違点について検討する。
　引用発明の「主スイッチングトランジスタＱｌａとＱｌｂを交互にオンし発振・調光する、ＩＣ２１を含む、Ｖ−ＰＷＭ変換回路１４、レベルシフト回路１５及びベース回路等からなる回路」は、この回路全体で発振・調光するように、スイッチング素子のオンオフを制御するものといえる。
　そして、引用発明は上記回路の一部であるＩＣ２１に電力を供給するものであるから、上記回路全体へ電源供給するようになすことも、当該回路の具体的回路構成に応じて当業者がその設計時に適宜なし得ることと認められる。また、本願発明の効果も当業者にとって格別であるとは認められない。
　したがって、上記相違点に係る本願発明の構成とすることは、引用発明から当業者が容易になし得たことと認められる。
　
　なお、請求項４（却下された本件補正による補正後の請求項１）に係る発明（以下、「本願発明４」という。）についても付言する。
　本願発明４は本願発明に「リーケージトランスの二次側に磁気結合された第３の巻線の出力から放電灯の異常を検出する異常検出部を設けた」との限定事項を付加するものである。
　しかしながら、当該限定事項は原査定の拒絶の理由に引用された特開昭５９−４９１９６号公報（以下、「引用刊行物２」という。）に記載されており、当該事項を付加することは、当業者が必要に応じて適宜なし得ることと認められる。そして、本願発明４の効果も当業者が容易に想到し得ることと認められる。
　よって、本願発明４も、引用発明及び引用刊行物２に記載された発明に基づいて当業者が容易に発明をすることができたものである。
　
４．むすび
　以上のとおり、本願発明は、引用発明に基いて、当業者が容易に発明をすることができたものであるから、特許法第２９条第２項の規定により特許を受けることができない。
　よって、結論のとおり審決する。